(57)【要約】【課題】部分的な交換作業を容易に行うことができるエレベータの照明装置を提供する。【解決手段】エレベータの照明装置１０は、エレベータのかご室天井２に配置される。このエレベータの照明装置１０は、かご室天井２に固定された複数の照明ケース１１と、各照明ケース１１内に配置された灯具１２とを有している。各照明ケース１１は各々独立して取外し可能となっている。【選択図】　図１
2004010280.tif 000002
【特許請求の範囲】
【請求項１】
エレベータのかご室天井に設置されるエレベータの照明装置において、
前記かご室天井に設けられた複数の照明ケースと、
各照明ケース内に配置された灯具と、
を備えたことを特徴とするエレベータの照明装置。
【請求項２】
各照明ケースは前記かご室天井に固定具により固定され、前記固定具は前記灯具からの配線と外部配線との接続部として機能することを特徴とする請求項１記載のエレベータの照明装置。
【請求項３】
前記複数の照明ケースの外周に、外周ケースを配置したことを特徴とする請求項１記載のエレベータの照明装置。
【発明の詳細な説明】
【０００１】
【発明の属する技術分野】
本発明はエレベータの照明装置に係り、とりわけ意匠替えおよび破損による交換を容易に行うことができるエレベータの照明装置に関する。
【０００２】
【従来の技術】
図１２および図１３により従来のエレベータの照明装置について説明する。
【０００３】
図１２および図１３に示すように、エレベータのかご室１の天井２に、複数の灯具２２が固定され、複数の灯具２２を覆うように照明ケース２１が配置されている。
【０００４】
この場合、照明ケース２１と灯具２２は、各々固定具２３、２２ａにより天井２に固定される。また照明ケース２１には採光用のスリット２１ａが形成され、このスリット２１ａ内にアクリル板が配置される。アクリル板は照明ケース２１内を隠す機能を有するとともに、灯具２１の光を透過させる。
【０００５】
【発明が解決しようとする課題】
従来、エレベータの照明装置において、意匠替えを行う場合や照明ケースが破損した場合、エレベータの照明装置全体を一体として交換している。また、照明装置の一部の交換のみで補修できる場合でも、一度かご室より照明装置全体を運び出すといった作業が発生し、多くの作業時間と人手を必要としている。
【０００６】
本発明はこのような点を考慮してなされたものであり、意匠替えおよび破損による交換を容易に行うことができるエレベータの照明装置を提供することを目的とする。
【０００７】
【課題を解決するための手段】
本発明は、エレベータのかご室天井に設置されたエレベータの照明装置において、かご室天井に設けられた複数の照明ケースと、各照明ケース内に配置された灯具と、を備えたことを特徴とするエレベータの照明装置である。
【０００８】
本発明は、各照明ケースは隣接する照明ケースと互いに密接していることを特徴とするエレベータの照明装置である。
【０００９】
本発明は、各照明ケースは隣接する照明ケースと互いに離間していることを特徴とするエレベータの照明装置である。
【００１０】
本発明は、各灯具は照明ケースに固定されていることを特徴とするエレベータの照明装置である。
【００１１】
本発明は、各灯具はかご室天井に固定されていることを特徴とするエレベータの照明装置である。
【００１２】
本発明は、各照明ケースはかご室天井に固定具により固定され、固定具は灯具からの配線と外部配線との接続部として機能することを特徴とするエレベータの照明装置である。
【００１３】
本発明は、複数の照明ケースの外周に、外周ケースを配置したことを特徴とするエレベータの照明装置である。
【００１４】
【発明の実施の形態】
以下、図面を参照して本発明の実施の形態について説明する。
【００１５】
図１および図２はエレベータの照明装置の一実施の形態を示す図である。
【００１６】
図１および図２に示すように、エレベータの照明装置１０はエレベータのかご室１の天井２に設置されており、この照明装置１０は天井（かご室天井）２に設けられた複数、例えば９個の照明ケース１１と、各照明ケース１１内に配置された灯具１２とを備えている。
【００１７】
このうち、各照明ケース１１はボルト、ナットからなる固定具１３により天井２に固定されている。また各照明ケース１１は四角形状の底面を有するとともに、隣接する照明ケース１１と互いに独立しかつ密接した状態で配置されている。このように、照明ケース１１は互いに接触しているが、照明ケース１１同志は固定されていない。
【００１８】
なお、照明ケース１１は四角形状の底面に限らず、円形状の底面を有していてもよい。またＬ字状の底面を有する照明ケース１１と、このＬ字状の照明ケース１１内に配置される四角形状の底面を有する照明ケース１１とを組合せてもよい。
【００１９】
また、各灯具１２は、ボルトナットからなる固定具１２ａにより天井２に固定されているが、灯具１２を照明ケース１１により保持してもよい。
【００２０】
照明ケース１１は上述のように固定具１３により天井２に固定されているが、この固定具１３を灯具１２から延びる配線（図示せず）と外部配線（図示せず）との間の接続部として用いてもよい。
【００２１】
また照明ケース１１の底面は開口し、この開口部に意匠パネル１４が嵌込まれている。
【００２２】
図１および図２に示すエレベータの照明装置１０において、部分的な意匠替え、または破損による交換が必要になった場合、当該部分の照明ケース１１のみを他の照明ケースから独立して取外して交換することができる。このため照明装置を部分的に交換することができ、交換作業の短縮を図ることができる。さらに照明装置の部分的な意匠替えを行うことにより、意匠替えの自由度を拡大させることができる。
【００２３】
次に本発明の変形例について図３乃至図１１により説明する。
【００２４】
上記実施の形態において照明ケース１１の底面の開口部に意匠パネル１４を嵌込んだ例を示したが、これに限らず照明ケース１１の底面の開口部にアクリル板１４ａを嵌込んでもよい（図３）。
【００２５】
また、照明ケース１１の底面の開口部に、ルーバー１４ｂを設置してもよく（図４）、ダウンライト１４ｃを設置してもよく（図５）、さらに遮光板１４ｄを設置してもよい（図６）。
【００２６】
さらに照明ケース１１の高さを低くして、底面の開口部に、アクリル板１４ａ、ルーバー１４ｂ、ダウンライト１４ｃまたは遮光板１４ｄを設置してもよい（図７）。
【００２７】
次に図８および図９により、他の変形例について説明する。図８および図９に示す変形例において、照明ケース１１は、隣接する照明ケース１１と互いに独立しかつ離間して配置されている。
【００２８】
図８および図９に示すように、図１および図２に示す実施の形態と同一部分には同一の符号を付して詳細な説明は省略する。
【００２９】
図８および図９に示すように、照明ケース１１を離間して配置することにより、照明装置１０全体のイメージを変化させることができる。
【００３０】
次に図１０および図１１により、更に他の変形例について説明する。図１０および図１１に示す変形例において、複数の照明ケース１１は隣接する照明ケースと互いに密接して配置され、複数の照明ケース１１の外周に、更に照明ケース１１を囲む外周ケース１５が設けられている。
【００３１】
図１０および図１１において、他の構成は図１および図２に示す実施の形態と略同一である。図１０および図１１において、図１および図２に示す実施の形態と同一部分には同一符号を付して詳細な説明は省略する。
【００３２】
図１０および図１１に示すように、照明ケース１１の外周に外周ケース１５を設けたので、例えばかご室天井２の形状が大きくなった場合、これに合わせて外周ケース１５の形状を大きくすることにより、照明ケース１１自体の形状を変化させることなく照明装置１０をバランス良くかご室天井２に設置することができる。
【００３３】
なお、上記各実施の形態において、照明ケース１１をボルト、ナットからなる固定具１３により天井２に固定した例を示したが、これに限らず、磁石により照明ケース１１をワンタッチで天井２に固定しても良い。
【００３４】
また照明ケース１１の底面形状は、四角形、円形に限らず、多角形（五角形、六角形）でもよい。
【００３５】
さらに、照明ケース１１内の灯具１２を天井２に固定具１２ａにより固定することなく、照明ケース１１に直接灯具１２を固定してもよい。
【００３６】
【発明の効果】
以上説明したように、本発明によれば、部分的な意匠替え、または破損による交換を行う場合、当該照明ケースのみを天井から取外せば良いので、交換作業をより簡単に行うことができる。
【図面の簡単な説明】
【図１】本発明によるエレベータの照明装置の一実施の形態を示す側断面図。
【図２】本発明によるエレベータの照明装置の一実施の形態を示す斜視図。
【図３】エレベータの照明装置の変形例を示す照明ケース部分の斜視図。
【図４】エレベータの照明装置の変形例を示す照明ケース部分の斜視図。
【図５】エレベータの照明装置の変形例を示す照明ケース部分の斜視図。
【図６】エレベータの照明装置の変形例を示す照明ケース部分の斜視図。
【図７】エレベータの照明装置の変形例を示す照明ケース部分の斜視図。
【図８】エレベータの照明装置の変形例を示す側断面図。
【図９】エレベータの照明装置の変形例を示す斜視図。
【図１０】エレベータの照明装置の変形例を示す側断面図。
【図１１】エレベータの照明装置の変形例を示す斜視図。
【図１２】従来のエレベータの照明装置を示す側断面図。
【図１３】従来のエレベータの照明装置を示す斜視図。
【符号の説明】
１０　エレベータの照明装置
１１　照明ケース
１２　灯具
１３　固定具
１４　意匠パネル
１４ａ　アクリル板
１４ｂ　ルーバー
１４ｃ　ダウンライト
１４ｄ　遮光板
１５　外周ケース
【図１】
2004010280.tif 000003
【図２】
2004010280.tif 000004
【図３】
2004010280.tif 000005
【図４】
2004010280.tif 000006
【図５】
2004010280.tif 000007
【図６】
2004010280.tif 000008
【図７】
2004010280.tif 000009
【図８】
2004010280.tif 000010
【図９】
2004010280.tif 000011
【図１０】
2004010280.tif 000012
【図１１】
2004010280.tif 000013
【図１２】
2004010280.tif 000014
【図１３】
2004010280.tif 000015